(57)【要約】【課題】住宅に使用される給気用換気装置において、取り外しの容易な送風機ユニットでありながら結露を防止するための気密性と断熱性を有することを目的とする。【解決手段】フレーム３下方に設けられた羽根外径よりもわずかに大きな開口２４の内側に設けた断熱材Ａ２５と固定板１６に接着された断熱材Ｂ２９が送風機ユニット１３を挿入した際に嵌合するため、気密性と断熱性を確保しつつ送風機ユニットを容易に着脱することが可能となり、室内外の温度差による結露の発生を抑制した換気装置を得られる。【選択図】  図５
2018173181.tif 000002
【特許請求の範囲】
【請求項１】
本体内部に羽根車と電動機とで構成される送風機を備え、本体の一側面に屋外と連通した吸込ダクトを接続して、屋外の空気を室内に供給する換気装置であって、
前記本体は、
前記一側面に設けた吸込ダクト接続口と、
前記一側面と異なる側面に設けた給気ダクト接続口と、
前記送風機と一体に着脱可能に設けた送風機ユニットと、
内面に設けた断熱材Ａと、
前記送風機ユニットを装着する開口を備え、
前記送風機ユニットは、前記電動機を固定する固定板と、固定板上に貼り付けた断熱材Ｂを有し、
前記断熱材Ａは、前記開口の周縁部において、前記開口の内周側に張り出した接合部Ａを有し、
前記接合部Ａは、前記送風機ユニットの着脱方向と交わる接合面Ａを有し、
前記断熱材Ｂは、前記接合部Ａの内周側に嵌合する形状であって、前記接合面Ａと前記送風機ユニットの着脱方向に密着する接合面Ｂを有した換気装置。
【請求項２】
前記接合面Ａと前記接合面Ｂは、それぞれ前記送風機ユニットの着脱方向に直交する請求項１に記載の換気装置。
【請求項３】
前記断熱材Ｂは、
前記本体内部側に突出した厚肉部と、
前記厚肉部の周囲に形成され、前記厚肉部よりも薄い薄肉部を有し、
前記薄肉部の前記本体内部側に前記接合面Ｂが形成された請求項２記載の換気装置。
【請求項４】
前記羽根車は、遠心型であり、前記固定板に対し回転軸が直交するように配置され、
前記断熱材Ｂは、前記羽根車と前記固定板との間に配置され、
前記断熱材Ｂの外周形状は、前記羽根車の外周よりも大きい円形とした請求項１〜３いずれかひとつに記載の換気装置。
【請求項５】
前記断熱材Ａ、前記断熱材Ｂは、発泡スチロールで形成し、前記本体、前記固定板に対しては接着剤で固定した請求項１〜４いずれかひとつに記載の換気装置。
【請求項６】
前記接合面Ａと前記接合面Ｂとの接触面にゴム製のパッキンを施した請求項１〜５いずれかひとつに記載の換気装置。
【発明の詳細な説明】
【技術分野】
【０００１】
本発明は、天井裏空間に設置され外気から新鮮な給気空気を複数の居室側に供給する換気装置に関するものである。
【背景技術】
【０００２】
従来、この種の換気装置としては、換気を対象とする室内とは別の空間から新鮮な空気を室内側に給気する換気装置が知られている。（例えば、特許文献１参照）。
【０００３】
以下、そのような換気装置について、図６を参照しながら説明する。
【０００４】
図６に示すように、複数の室内給気ダクト接続口１０１が設けられた給気ダクト接続口取付面１０２と、複数の室内給気ダクト接続口１０１と連通する開口が設けられた開口面１０３とを有するように断熱材で形成され、本体に収容される給気分岐用箱体１０４と、開口面１０３の開口から給気分岐用箱体１０４へ流入して複数の室内給気ダクト接続口１０１から流出する気流を形成する給気送風機１０５と、給気送風機１０５を収容する送風機収容空間を有する給気送風機用ケーシング１０６とを含み、開口面１０３の開口から給気分岐用箱体１０４へ挿入されることにより送風機収容空間と複数の室内給気ダクト接続口１０１とが連通する給気送風機ユニット１０７を備えている。
【先行技術文献】
【特許文献】
【０００５】
【特許文献１】特許第５４７８５５０号公報
【発明の概要】
【発明が解決しようとする課題】
【０００６】
このような従来の換気装置においては、本体内と本体外の空気の温度差による結露の発生を防止するために本体は断熱性を有した躯体で構成され、給気送風機ユニットを躯体内に収容することが一般的である。
しかし、駆動モータ等の交換が必要な際、本体を構成する部品を取り外して躯体内に収容した給気送風機ユニットを取り出す必要があり、困難な作業が必要であるという課題を有していた。
【０００７】
そこで本発明は、上記従来の課題を解決するものであり、本体を構成する風路について結露を防止するための気密性能、および断熱性能を有し、かつ取り外しを容易に行うことができる送風機ユニットを持つことを特徴とした換気装置を提供することを目的とする。
【課題を解決するための手段】
【０００８】
そして、この目的を達成するために、本発明に係る換気装置は、
本体内部に羽根車とモータとで構成される送風機を備え、本体の一側面に屋外と連通した吸込ダクトを接続して、屋外の空気を室内に供給する換気装置であって、
前記本体は、
前記一側面に設けた吸込ダクト接続口と、
前記一側面と異なる側面に設けた給気ダクト接続口と、
前記送風機と一体に着脱可能に設けた送風機ユニットと、
内面に設けた断熱材Ａと、
前記送風機ユニットを装着する開口を備え、
前記送風機ユニットは、前記電動機を固定する固定板と、固定板上に貼り付けた断熱材Ｂ
を有し、
前記断熱材Ａは、前記開口の周縁部において、前記開口の内周側に張り出した接合部Ａを有し、
前記接合部Ａは、前記送風機ユニットの着脱方向に交わる接合面Ａを有し、
前記断熱材Ｂは、前記接合部Ａの内周側に嵌合する形状であって、前記接合面Ａと前記送風機ユニットの着脱方向に密着する接合面Ｂを有したものであり、これにより所期の目的を達成するものである。
【発明の効果】
【０００９】
本発明によれば、送風機ユニットを装着する開口の内周側に張り出した接合面Ａと電動機を固定する固定板上に貼り付けた断熱材Ｂが送風機ユニットの着脱方向に交わるという構成にしたことにより、送風機ユニットを本体内へ挿入した際に送風機ユニットの断熱材外周部の凹部と本体開口部の凸部が嵌合することで嵌合部の気密が高くなる。また、送風機ユニットの表面を覆う断熱材を押し付けることになるので、断熱材の浮き上がりを防ぎ、気密性能、および断熱性能を維持することで結露を防ぐという効果を得ることができる。
【図面の簡単な説明】
【００１０】
【図１】本発明の実施の形態１の換気装置の側断面の構成図
【図２】同換気装置の下方からの斜視図
【図３】同換気装置の送風機ユニット分解図
【図４】同換気装置の送風機ユニット斜視図
【図５】同換気装置の嵌合部拡大図
【図６】従来の換気装置の内部を示す図
【発明を実施するための形態】
【００１１】
本発明に係る換気装置は、本体内部に羽根車とモータとで構成される送風機を備え、本体の一側面に屋外と連通した吸込ダクトを接続して、屋外の空気を室内に供給する換気装置であって、
前記本体は、
前記一側面に設けた吸込ダクト接続口と、
前記一側面と異なる側面に設けた給気ダクト接続口と、
前記送風機と一体に着脱可能に設けた送風機ユニットと、
内面に設けた断熱材Ａと、
前記送風機ユニットを装着する開口を備え、
前記送風機ユニットは、前記電動機を固定する固定板と、固定板上に貼り付けた断熱材Ｂを有し、
前記断熱材Ａは、前記開口の周縁部において、前記開口の内周側に張り出した接合部Ａを有し、
前記接合部Ａは、前記送風機ユニットの着脱方向に交わる接合面Ａを有し、
前記断熱材Ｂは、前記接合部Ａの内周側に嵌合する形状であって、前記接合面Ａと前記送風機ユニットの着脱方向に密着する接合面Ｂを有したという構成を有する。これにより、送風機ユニットを本体内へ挿入した際に送風機ユニットの断熱材Ｂの接合面Ｂと、本体に設けた断熱材Ａの接合面Ａとが、送風機ユニットの着脱方向と交差するように接合し、断熱材同士を押し付けることになって断熱材Ａと断熱材Ｂとが密着し、送風機ユニットに設けた断熱材Ｂの浮き上がりを防ぐとともに、断熱性能が高まるという効果を奏する。
【００１２】
また、前記接合面Ａと前記接合面Ｂは、それぞれ前記送風機ユニットの着脱方向に直交するという構成にしてもよい。これにより、接合面の接触面積を大きくするとともに、断熱材同士を押し付けることで接合面の密着度を確保することができるため、断熱性能を高
めることができる。
【００１３】
また、前記断熱材Ｂは、前記本体内部側に突出した厚肉部と、前記厚肉部の周囲に形成され、前記厚肉部よりも薄い薄肉部を有し、前記薄肉部の前記本体内部側に前記接合面Ｂが形成されたという構成にしてもよい。これにより、接合面の接触面積を大きくするとともに、接合時のズレを防止する機構になっているため、確実な嵌合が可能となり断熱性能を損なうことを防止する。
【００１４】
また、前記羽根車は、遠心型であり、前記固定板に対し回転軸が直交するように配置され、前記断熱材Ｂは、前記羽根車と前記固定板との間に配置され、前記断熱材Ｂの外周形状は、前記羽根車の外周よりも大きい円形としたという構成にしてもよい。これにより、送風機ユニット取り出しの開口を小さくするとともに、送風機ユニット挿入後の位置調整が可能となり着脱の容易性を高めることができる。
【００１５】
また、前記断熱材Ａ、前記断熱材Ｂは、発泡スチロールで形成し、前記本体、前記固定板に対しては接着剤で固定したという構成にしてもよい。これにより、ネジなどを介して本体内風路と本体外郭が連通することがなく、断熱効果をさらに高めることが可能となる。
【００１６】
また、前記接合面Ａと前記接合面Ｂとの接触面に発泡ポリエチレンあるいはゴム製のパッキンを施したという構成にしてもよい。これにより、嵌合部の断熱材同士のわずかな隙間をパッキンが埋めるため、更なる断熱効果が期待できる。
【００１７】
以下、本発明の実施の形態について図面を参照しながら説明する。
【００１８】
（実施の形態１）
本実施の形態１の換気装置は、図１に示すように、例えば住宅の天井１裏の空間である天井裏空間２に設置される。
【００１９】
換気装置は、方形状の箱状のフレーム３を有している。このフレーム３には、第１の側面４に第１の給気ダクト接続口５が設けられ、第１の側面４と対向する第２の側面６に複数の第２の給気ダクト接続口７を設ける。第１の給気ダクト接続口５には、屋外と連通した外気ダクト（図示せず）が接続される。第２の給気ダクト接続口７には、複数の室内と連通した室内給気ダクト（図示せず）が接続される。第１の給気ダクト接続口５と第２の給気ダクト接続口７とは、フレーム３内で連通している。
【００２０】
フレーム３の下面には、室内空間８側に略正方形の点検口９が設けられている。この点検口９の更に下方には、例えば略正方形のパネル１０が設けられ、点検口９を覆っている。パネル１０は、室内側に露出した化粧板となっている。
【００２１】
第１の給気ダクト接続口５からは、外気ダクトからの給気空気１１がフレーム３内に流入する。この第１の給気ダクト接続口５には、フィルター部１２が設けられている。フィルター部１２は、屋外から給気される給気空気１１を通過させ、その空気に含まれる花粉や砂塵を除去し、後述するように清浄化した空気を室内に供給することになる。
【００２２】
フレーム３内には、フィルター部１２と第２の給気ダクト接続口７との間に、送風機ユニット１３が設けられている。
【００２３】
そして、送風機ユニット１３は、羽根車としてシロッコファン等の遠心ファン１４と、遠心ファン１４と結合しているモータ１５とそれらを固定する固定板１６およびブラケッ
ト１７で構成される。モータ１５は、ＡＣ（交流）電動機でもＤＣ（直流）電動機であっても良い。
【００２４】
送風機ユニット１３は、ケーシング２０内に挿入される。ケーシング２０は、吸込口１８と、吐出口１９を有するスクロールケーシングである。送風機ユニット１３は、遠心ファン１４の回転により、屋外から給気空気１１を吸込み、複数の第２の給気ダクト接続口７に送風する。そのとき、給気空気１１は、フィルター部１２を通過して浄化される。
【００２５】
また、モータ１５のシャフト２１は、図３に示すように、固定板１６に対して垂直に設けられている。
【００２６】
そして、フレーム３内の送風機ユニット１３と第２の給気ダクト接続口７との間には、屋外からの給気空気１１をケーシング２０の吐出口１９から複数の第２の給気ダクト接続口７へ導くチャンバー部２２を備えている。
【００２７】
上記構成による本実施の形態の換気装置の動作について説明する。
【００２８】
換気装置を運転すると、遠心ファン１４が回転し、給気空気１１は、第１の給気ダクト接続口５からフレーム３内に流入する。まず、給気空気１１は、フィルター部１２を通過する。フィルター部１２では、給気空気１１に含まれていた花粉や砂塵を捕集し、給気空気１１が清浄化される。そして、給気空気１１は、ケーシング２０の吸込口１８に流入する。遠心ファン１４によって、給気空気１１は昇圧され、ケーシング２０の吐出口１９からチャンバー２２内に吹き出される。そして、給気空気１１は、複数の第２の給気ダクト接続口７を通過して室内給気ダクトが接続された各居室に供給される。
【００２９】
ここで、給気空気１１は熱交換器などを通さず、屋外から直接フレーム３内へと導かれる。そのため、特に冬期においては室内との温度差が大きくなり、フレーム３に結露が発生することが懸念される。そこで、上記の風路、すなわち、フレーム３内は全て発泡スチロール製の断熱材で覆われている。発泡スチロール同士の接合部には発泡ポリエチレンのシール材が張られ、断熱性と気密性を確保している。
【００３０】
このように、給気空気１１は、発泡スチロール製の断熱材で覆われた断熱空間内で送風される。そのため、屋外から取り込んだ空気の熱がフレーム３に伝わることがなく、結露の発生を抑制することになる。
【００３１】
次に本実施の形態において特徴的な部分について説明する。
【００３２】
送風機ユニット１３は、図３に示すように、本体２３の下方に設けられた開口２４から挿入する構造である。この開口２４は、遠心ファン１４の外径よりもわずかに大きな内径を有している。
【００３３】
本体２３側には、開口２４を有した断熱材Ａ２５が設けられている。この断熱材Ａ２５の内側を風路としている。そして、断熱材Ａ２５の外側は板金２８で覆われることになる。断熱材Ａ２５は、開口２４の内周側に張り出した接合部Ａ２６を有し、その接合部Ａ２６は送風機ユニット１３の着脱方向に交わる接合面Ａ２７を有する。ここで、「着脱方向に交わる」とは、着脱方向と平行でないことを意味し、着脱方向に投影したときに面が現れるものである。
【００３４】
送風機ユニット１３はモータ１５と遠心ファン１４を有している。そして、モータ１５は、固定板１６とブラケット１７により挟み込まれる形で固定される。すなわち、送風機
ユニット１３は、図４に示すように、固定板１６、ブラケット１７、遠心ファン１４、モータ１５とが一体になったものである。
【００３５】
そして、送風機ユニット１３は、開口２４に下方向から挿入され、遠心ファン１４はケーシング２０内に収まることになる。送風機ユニット１３は、固定板１６と本体２３とを板金２８を介してネジ止めされることで固定される。
【００３６】
固定板１６上には、断熱材Ｂ２９が貼り付けてある。この断熱材Ｂ２９は、送風機ユニット１３を本体２３に装着したとき、本体２３内部側に突出した厚肉部３０と、その周囲の薄肉部３１を有している。薄肉部３１は、厚肉部３０よりも薄くなっている。薄肉部３０には、接合面Ａ２７と着脱方向に接合する形状で密着する接合面Ｂ３２を有する。すなわち、送風機ユニット１３を開口２４に挿入したとき、厚肉部３０は、開口２４に嵌合し、薄肉部２９は、断熱材Ａ２５と当接することになる。この当接部分が、接合面Ａ２７と接合面Ｂ３２となっている。
【００３７】
このように、接合面Ａ２７、接合面Ｂ３２の密着によって、気密性と断熱性が確保され、屋外から取り込んだ空気の熱がフレーム３に伝わりにくくなり、結露の発生を抑止する。
【００３８】
また、天井１の下方に取り付けられたパネル１０を取り外すことで点検口９が露出する構造としているため、送風機ユニット１３は製品本体を天井裏空間２から取り外すことなく点検口９から容易に着脱することが可能である。
【００３９】
このように、着脱の容易性を高め、かつ前述の気密性と断熱性を維持することを可能とした。
【００４０】
また、接合面Ａ２７と接合面Ｂ３２は、それぞれ送風機ユニット１３の着脱方向と直交するようになっていてもよい。このような構成により、接合面Ａ２７、接合面Ｂ３２の接触面積を大きく確保するとともに、接合面Ａ２７と接合面Ｂ３２との密着度を確保することができる。そのため、送風機ユニット１３の取り外しが容易なまま断熱性能を損なわずに更に結露の発生を抑制することができる。
【００４１】
また、断熱材Ａ２５は送風機ユニットの固定板１６に対して接着剤で固定する。断熱材をネジ等で固定した場合、ネジを介して本体内風路と本体外郭が熱伝導度の高い部材で連通するため、本体風路内の熱が伝わり結露の要因となる。上記のとおり、断熱材Ａ２５を接着剤で固定することにより、本体内風路と本体外郭間の熱伝導を抑制することができ、断熱効果が高まる。
【００４２】
さらに、送風機ユニット１３を本体に固定した際に、送風機ユニット１３に設けられた断熱材Ｂ２９は、送風機ユニット１３とフレーム３との結合により、断熱材Ａ２５によって、固定板１６に押さえつけられることになる。そのため、断熱材Ｂ２９の浮き上がりを防ぐことができる。よって、確実な断熱効果が得られるため、更に結露の発生を抑えることが可能となる。
【００４３】
なお、断熱材Ａ２５と断熱材Ｂ２９の接合面Ａ２７あるいは接合面Ｂ３２のいずれかには、発泡ポレエチレンあるいはゴム製のパッキン３３を施しても良い。この構成により、嵌合部の断熱材同士のわずかな隙間をパッキン３３が埋めるため、更なる断熱効果が得られ、結露の発生を抑止することが可能となる。
【産業上の利用可能性】
【００４４】
本発明に係る換気装置は、送風機ユニットを取り外しの容易な構造にしていながら気密性と断熱性を損なわないことで、結露の発生を抑制することを可能とするものであるので、住宅の天井裏空間に設置するセントラル給気ユニット等として有用である。
【符号の説明】
【００４５】
１      天井
２      天井裏空間
３      フレーム
４      第１の側面
５      第１の給気ダクト接続口
６      第２の側面
７      第２の給気ダクト接続口
８      室内空間
９      点検口
１０    パネル
１１    給気空気
１２    フィルター部
１３    送風機ユニット
１４    遠心ファン
１５    モータ
１６    固定板
１７    ブラケット
１８    吸込口
１９    吐出口
２０    ケーシング
２１    シャフト
２２    チャンバー
２３    本体
２４    開口
２５    断熱材Ａ
２６    接合部Ａ
２７    接合面Ａ
２８    板金
２９    断熱材Ｂ
３０    圧肉部
３１    薄肉部
３２    接合面Ｂ
３３    パッキン
【図１】
2018173181.tif 000003
【図２】
2018173181.tif 000004
【図３】
2018173181.tif 000005
【図４】
2018173181.tif 000006
【図５】
2018173181.tif 000007
【図６】
2018173181.tif 000008